(57)【要約】      （修正有）【課題】電子機器の画面に直接触れずに画面のスクロールや拡大、縮小を行える入力手段を設けることで、画面を汚したり傷をつける機会を低減しつつ、画像の操作を容易にする。【解決手段】電子機器１は、画像表示用の表示部１１と、本体１０の特定箇所１３を挟むように両側にそれぞれ備えられる入力部２０，２１を設ける。この入力部は、特定箇所１３に近づく方向および当該特定箇所１３から離れる方向において内部方向に押圧可能であって、その押圧している箇所に応じて抵抗が変化する可変抵抗デバイスであり、制御部は入力部の抵抗の変化を検出してともに特定箇所１３に近づく方向に走査されているか、ともに特定箇所１３から離れる方向に走査されているかを判別し、近づく方向に走査されている場合に画像の拡大若しくは縮小のいずれか一方の処理を行い、離れる方向に走査されている場合に画像の拡大若しくは縮小のいずれか他方の処理を行う。【選択図】図４
2011048717.tif 000002
【特許請求の範囲】
【請求項１】
画像表示用の表示部と、
本体の特定箇所を挟むように両側にそれぞれ備えられる入力部と、
上記表示部に表示される画像の表示を制御する制御部と、
を備え、
それぞれの上記入力部は、
上記特定箇所に近づく方向および当該特定箇所から離れる方向においてその入力部の内部方向に押圧可能であって、その押圧している箇所に応じて抵抗が変化する可変抵抗デバイスであり、
上記制御部は、
それぞれの上記入力部からの抵抗の変化を検出する検出手段と、
上記入力部の抵抗の変化から、それぞれの上記入力部がともに上記特定箇所に近づく方向に走査されているか、ともに上記特定箇所から離れる方向に走査されているかを少なくとも判別する走査方向判別手段と、
上記近づく方向に走査されている場合に上記画像の拡大若しくは縮小のいずれか一方の処理を行い、上記離れる方向に走査されている場合に上記画像の拡大若しくは縮小のいずれか他方の処理を行う表示処理手段と、
を備えることを特徴とする、可変抵抗デバイスを備えた電子機器。
【請求項２】
両側の前記入力部から抵抗の変化を検出したかどうかを判別する両抵抗変化判別手段をさらに備え、
いずれか一方の前記入力部のみから抵抗の変化を検出した場合には、
前記走査方向判別手段は、その抵抗の変化を検出した前記入力部の走査方向を決定し、
前記表示処理手段は、前記画像の拡大および縮小を行わずに、その決定した走査方向に前記画像を移動する処理を行うことを特徴とする請求項１に記載の、可変抵抗デバイスを備えた電子機器。
【請求項３】
それぞれの前記入力部の抵抗が変化する各速度の差異が所定閾値を超えているか否かを判別する速度差異判別手段と、
上記各速度の差異が上記所定閾値を超えている場合に、速度の大きい前記入力部の走査を優先する第一優先走査決定手段と、
をさらに備え、
上記各速度の差異が上記所定閾値を超えている場合、
前記表示処理手段は、前記画像の拡大および縮小を行わずに、上記第一優先走査決定手段が優先する前記入力部の走査方向に基づいて、前記画像の移動処理を行うことを特徴とする請求項１または請求項２に記載の、可変抵抗デバイスを備えた電子機器。
【請求項４】
それぞれの前記入力部の抵抗が変化する各速度の一方のみが所定速度を超えているか否かを判別する絶対速度判別手段と、
上記各速度のいずれか一方が上記所定速度を超えている場合に、上記所定速度を超えている方の前記入力部の走査を優先する第二優先走査決定手段と、
をさらに備え、
上記各速度の一方のみが上記所定値を超えている場合、
前記表示処理手段は、前記画像の拡大および縮小を行わずに、上記第二優先走査決定手段が優先する前記入力部の走査方向に基づいて、前記画像の移動処理を行うことを特徴とする請求項１または請求項２に記載の、可変抵抗デバイスを備えた電子機器。
【請求項５】
前記第一優先走査決定手段または前記第二優先走査決定手段は、それぞれの前記入力部の走査方向がそれぞれ前記特定箇所に近づく方向と前記特定箇所から離れる方向である場合にのみ、前記速度の大きい前記入力部の走査を優先することを特徴とする請求項３または請求項４に記載の、可変抵抗デバイスを備えた電子機器。
【請求項６】
本体が直方体形状であって、
前記特定箇所を特定の角部とし、
前記入力部は、その特定の角部を挟んで、その角部からそれぞれ別の角部に向かう方向に細長く、その本体の異なる側面に形成されていることを特徴とする請求項１から請求項５のいずれか１項に記載の、可変抵抗デバイスを備えた電子機器。
【請求項７】
画像表示用の表示部と、当該本体の特定箇所を挟むように両側にそれぞれ備えられる入力部と、
上記表示部に表示される画像の表示を制御する制御部と、を備え、それぞれの上記入力部が、上記特定箇所に近づく方向および当該特定箇所から離れる方向においてその入力部の内部方向に押圧可能であって、その押圧している箇所に応じて抵抗が変化する可変抵抗デバイスである、可変抵抗デバイスを備えた電子機器のメモリに格納されるコンピュータプログラムであって、
それを上記メモリから読み出して実行することによって、
上記制御部を、
それぞれの上記入力部からの抵抗の変化を検出する検出手段、
上記入力部の抵抗の変化から、それぞれの上記入力部がともに上記特定箇所に近づく方向に走査されているか、ともに上記特定箇所から離れる方向に走査されているかを少なくとも判別する走査方向判別手段、
上記近づく方向に走査されている場合に上記画像の拡大若しくは縮小のいずれか一方の処理を行い、上記離れる方向に走査されている場合に上記画像の拡大若しくは縮小のいずれか他方の処理を行う表示処理手段の内の少なくともいずれか１つの手段として機能させることを特徴とする、コンピュータプログラム。
【発明の詳細な説明】
【技術分野】
【０００１】
本発明は、可変抵抗デバイスを備えた電子機器、およびその電子機器における画面表示処理を行うためのコンピュータプログラムに関するものである。
【背景技術】
【０００２】
近年、携帯電話、携帯音響再生装置等の小型の電子機器には、益々の小型化および薄型化が求められている一方で、画面を備える機器の場合には、その画面の大型化が強く望まれている。これらの要求に応えるため、電子機器自体を小型にしつつ、電子機器に占める画面の面積比率を大きくし、操作手段の配置面積の比率を小さくした電子機器が知られている。
【０００３】
上記電子機器には、通常、各種操作を行うための操作手段が備えられており、操作手段としては、例えば、押圧式のボタン、方向キー型セレクタ、ジョグダイヤル、ジョイスティックなどが知られている。かかる種々の操作手段の押圧、回転、傾倒等を行うことにより、画面内の画像をスクロールし、あるいは画面内の画像を拡大若しくは縮小することが可能な電子機器もある（特許文献１を参照）。また、操作手段をほとんど備えず、画面上へのタッチ操作にて、画像のスクロール、拡大若しくは縮小をはじめ種々の操作を行うことのできる電子機器も知られている（特許文献２を参照）。
【先行技術文献】
【特許文献】
【０００４】
【特許文献１】特開２００６−１５５２０６
【特許文献２】米国特許第７，４７９，９４９号
【発明の概要】
【発明が解決しようとする課題】
【０００５】
しかし、上述の従来技術には、次のような問題がある。特許文献１に開示される携帯端末の場合には、操作キーを押して画面上の画像の拡大若しくは縮小を行っているので、操作キーは必須の構成要素である。操作キーを備える以上、画面の大型化には自ずと限界がある。また、特許文献２に開示されるタッチスクリーンデバイスの場合には、画面以外に操作キーを備えず、画面上へのタッチ操作にて、画面上の画像のスクロール、拡大若しくは縮小を可能としているので、特許文献１に開示される携帯端末が持つ問題はない。しかし、操作者は、画像をスクロール、拡大若しくは縮小する際に画面を擦る操作を行う必要があるため、画面が汚れやすく、また、画面に傷をつける機会が増えるという問題がある。さらに、操作しにくいという問題もある。
【０００６】
本発明は、上記のような問題に鑑みなされたもので、電子機器の画面に汚れや傷をつける機会を低減しつつ、画像の操作を容易にすることを目的とする。
【課題を解決するための手段】
【０００７】
上記目的を解決するため、本発明の一形態は、画像表示用の表示部と、本体の特定箇所を挟むように両側にそれぞれ備えられる入力部と、表示部に表示される画像の表示を制御する制御部とを備え、それぞれの入力部が、特定箇所に近づく方向および当該特定箇所から離れる方向においてその入力部の内部方向に押圧可能であって、その押圧している箇所に応じて抵抗が変化する可変抵抗デバイスであり、制御部は、それぞれの入力部からの抵抗の変化を検出する検出手段と、入力部の抵抗の変化から、それぞれの入力部がともに特定箇所に近づく方向に走査されているか、ともに特定箇所から離れる方向に走査されているかを少なくとも判別する走査方向判別手段と、近づく方向に走査されている場合に画像の拡大若しくは縮小のいずれか一方の処理を行い、離れる方向に走査されている場合に画像の拡大若しくは縮小のいずれか他方の処理を行う表示処理手段とを備える、可変抵抗デバイスを備えた電子機器としている。
【０００８】
本発明の別の一形態は、両側の入力部から抵抗の変化を検出したかどうかを判別する両抵抗変化判別手段をさらに備え、いずれか一方の入力部のみから抵抗の変化を検出した場合には、走査方向判別手段が、その抵抗の変化を検出した入力部の走査方向を決定し、表示処理手段が画像の拡大および縮小を行わずに、その決定した走査方向に画像を移動する処理を行う、可変抵抗デバイスを備えた電子機器としている。
【０００９】
本発明のさらなる別の一形態は、それぞれの入力部の抵抗が変化する各速度の差異が所定閾値を超えているか否かを判別する速度差異判別手段と、各速度の差異が所定閾値を超えている場合に、速度の大きい入力部の走査を優先する第一優先走査決定手段とをさらに備え、各速度の差異が所定閾値を超えている場合、表示処理手段が画像の拡大および縮小を行わずに、第一優先走査決定手段が優先する入力部の走査方向に基づいて画像の移動処理を行う、可変抵抗デバイスを備えた電子機器としている。
【００１０】
本発明のさらなる別の一形態は、それぞれの入力部の抵抗が変化する各速度の一方のみが所定速度を超えているか否かを判別する絶対速度判別手段と、各速度のいずれか一方が所定速度を超えている場合に、その所定速度を超えている方の入力部の走査を優先する第二優先走査決定手段とをさらに備え、各速度の一方のみが所定値を超えている場合、表示処理手段が画像の拡大および縮小を行わずに、第二優先走査決定手段が優先する入力部の走査方向に基づいて、画像の移動処理を行う、可変抵抗デバイスを備えた電子機器としている。
【００１１】
本発明のさらなる別の一形態は、第一優先走査決定手段または第二優先走査決定手段が、それぞれの入力部の走査方向がそれぞれ特定箇所に近づく方向と特定箇所から離れる方向である場合にのみ、速度の大きい入力部の走査を優先する、可変抵抗デバイスを備えた電子機器としている。
【００１２】
本発明のさらなる別の一形態は、本体が直方体形状であって、特定箇所を特定の角部とし、入力部が、その特定の角部を挟んで、その角部からそれぞれ別の角部に向かう方向に細長く、その本体の異なる側面に形成されている、可変抵抗デバイスを備えた電子機器としている。
【００１３】
また、本発明の一形態は、画像表示用の表示部と、当該本体の特定箇所を挟むように両側にそれぞれ備えられる入力部と、表示部に表示される画像の表示を制御する制御部と、を備え、それぞれの入力部が、特定箇所に近づく方向および当該特定箇所から離れる方向においてその入力部の内部方向に押圧可能であって、その押圧している箇所に応じて抵抗が変化する可変抵抗デバイスである、可変抵抗デバイスを備えた電子機器のメモリに格納されるコンピュータプログラムであって、それをメモリから読み出して実行することによって、制御部を、それぞれの入力部からの抵抗の変化を検出する検出手段、入力部の抵抗の変化から、それぞれの入力部がともに特定箇所に近づく方向に走査されているか、ともに特定箇所から離れる方向に走査されているかを少なくとも判別する走査方向判別手段、近づく方向に走査されている場合に画像の拡大若しくは縮小のいずれか一方の処理を行い、離れる方向に走査されている場合に画像の拡大若しくは縮小のいずれか他方の処理を行う表示処理手段の内の少なくともいずれか１つの手段として機能させることを特徴とする、コンピュータプログラムとしている。
【発明の効果】
【００１４】
本発明によれば、電子機器の画面に汚れや傷をつける機会を低減しつつ、画像の操作を容易にすることができる。
【図面の簡単な説明】
【００１５】
【図１】図１は、実施の形態に係る電子機器の正面図、上側面図および右側面図である。
【図２】図２は、図１に示す入力部の構造を示す断面図である。
【図３】図３は、図２に示す入力部の上方から指でなぞっている状態を示す断面図（３Ａ）および導体板への接触箇所に応じて変化する抵抗を示す例示的なグラフ（３Ｂ）である。
【図４】図４は、図１に示す電子機器に設けられた２つの入力部を走査して、表示部に表示される画像を拡大する状況（４Ａ）若しくは縮小する状況（４Ｂ）をそれぞれ示す図である。
【図５】図５は、図１に示す電子機器に設けられた入力部を走査して、表示部に表示される画像を移動する状況（５Ａ〜５Ｄ）をそれぞれ示す図である。
【図６】図６は、図１に示す電子機器の本体に備えられる制御部の例示的なハードウェアの構成図である。
【図７】図７は、図１に示す電子機器が行う画像の拡大若しくは縮小または移動の処理の流れを示すフローチャートの一例である。
【図８】図８は、図１に示す電子機器が行う画像の拡大若しくは縮小または移動の処理の流れを示すフローチャートの別の例である。
【図９】図９は、図１に示す電子機器が行う画像の拡大若しくは縮小または移動の処理の流れを示すフローチャートの別の例である。
【図１０】図１０は、図１に示す電子機器が行う画像の拡大若しくは縮小または移動の処理の流れを示すフローチャートの別の例である。
【図１１】図１１は、図１に示す電子機器と異なり、入力部の配置場所を変えた電子機器の変形例を示す図である。
【発明を実施するための形態】
【００１６】
以下に、本発明の可変抵抗デバイスを備えた電子機器（以後、単に、「電子機器」という）およびコンピュータプログラムの実施の形態について、図面を参照しながら説明する。
【００１７】
１．概略的な外観構成
図１は、実施の形態に係る電子機器の正面図、上側面図および右側面図である。
【００１８】
実施の形態に係る電子機器１は、薄い直方体の形状の本体１０を有し、その正面１０ａに画像表示用の表示部１１と、起動ボタン１２とを備える。表示部１１は、正面１０ａの大部分を占める面積を有している。起動ボタン１２は、表示部１１より小さな円形の押圧式のボタンであって、表示部１１の下に配置されている。本体１０の上側面１０ｂと右側面１０ｃには、本体１０の右上角（特定箇所の一例）１３を挟むように、それぞれ入力部２０および入力部２１が備えられている。入力部２０および入力部２１は、略同じ形態のものであり、それぞれ、上側面１０ｂおよび右側面１０ｃの長さ方向に沿って細長い略直方体の形状を有する。入力部２０，２１は、それぞれの最表面を、上側面１０ｂおよび右側面１０ｃの表面とほぼ同じ高さとなるように本体１０に埋設されている。
【００１９】
２．入力部の構成
図２は、図１に示す入力部の構造を示す断面図である。
【００２０】
入力部２０，２１は、絶縁基板２２と、その基板面に所定間隔をあけて配置される固定接点２３，２４と、該基板面の上記所定間隔内に配置される導体板２５と、各端部をそれぞれ固定接点２３，２４に接触させて導体板２５と非接触状態で絶縁基板２２上に配置される導電性弾性体２６と、導電性弾性体２６の上方に配置される絶縁性弾性フィルム２７とを備える。
【００２１】
絶縁基板２２は、絶縁性の高い材料、例えば、樹脂（その中でも、ポリイミド樹脂が好ましい）、ガラス、セラミックスあるいはそれらの複合体から構成される。固定接点２３，２４および導体板２５は、導電性の高い材料、例えば、銀、銅、金、タングステン等の金属から構成される。固定接点２３には所定の電圧（ＶＣＣ：例えば５Ｖ）が印加され、固定接点２４は、アース（ＧＮＤ）されている。導体板２５は、固定接点２３，２４の両方に非接触の状態で固定接点２３と固定接点２４の間に配置される細長い板状体である。導電性弾性体２６は、平板状の端部２６ａ、２６ｂと、各端部２６ａ，２６ｂから略垂直に立ちあがり導体板２５と平行に延出する平面部２６ｃとを備える。端部２６ａは固定接点２３と、端部２６ｂは固定接点２４と、それぞれ電気的に接続されている。平面部２６ｃは、導体板２５と所定の隙間を隔てた状態となっている。絶縁性弾性フィルム２７は、導電性弾性体２６の平面部２６ｃの上に密着し、本体１０と面一になるように配置されている。
【００２２】
導電性弾性体２６は、好適には、シリコーンゴム、イソプレンゴム、エチレンプロピレンゴム、ブタジエンゴムの他、天然ゴム、スチレン系ゴム、ウレタン系ゴム、オレフィン系ゴム、フッ素系ゴム等のゴム状弾性体に、導電性フィラーを混練させた導電性に優れる弾性体である。導電性フィラーとしては、カーボンブラックに代表される粒子状の導電体、カーボン繊維に代表される繊維状の導電体、板状の導電体などを好適に使用できる。導電性弾性体２６中の導電性フィラーの含有量は、５〜４０重量％の範囲が好ましく、１０〜３５重量％がより好ましく、１５〜２５重量％がさらに好ましい。ただし、導電性フィラーの含有量は、当該フィラーの大きさ、材質あるいはゴム状弾性体に要求される弾性等の諸条件により適宜変更することができる。
【００２３】
絶縁性弾性フィルム２７には、導電性弾性体２６の母材として用いられるゴム状弾性と同様の弾性体を好適に用いることができる。絶縁性弾性フィルム２７は、その上から指でなぞった際に、その下方の導電性弾性体２６を容易に変形させることができるように、薄く、かつ絶縁性に優れるフィルムである。絶縁性弾性フィルム２７と本体１０との間は、接着等により固定されていても良く、あるいは固定されていなくても良い。
【００２４】
３．入力部の機能
図３は、図２に示す入力部の上方から指でなぞっている状態を示す断面図（３Ａ）および導体板への接触箇所に応じて変化する抵抗を示す例示的なグラフ（３Ｂ）である。
【００２５】
入力部２０，２１は、本体１０の右上角１３に近づく方向および右上角１３から離れる方向に沿って、その入力部２０，２１の内部方向に押圧可能であって、その押圧している箇所に応じて抵抗が変化する可変抵抗デバイスである。絶縁性弾性フィルム２７上から押圧していない状態では、ＶＣＣを印加している固定接点２３から、導電性弾性体２６を経て、アースされている固定接点２４に電流が流れる。
【００２６】
絶縁性弾性フィルム２７上から導電性弾性体２６を押して、図３に示す位置Ａにて導電性弾性体２６と導体板２５とが接触すると、位置Ａにて導体板２５側に電流が流れる。導体板２５には、電圧検出手段（図示せず）が接続されているため、位置Ａでの電位を測定することができる。また、位置Ａに比して固定接点２３から遠い位置Ｂで導電性弾性体２６と導体板２５とが接触すると、位置Ｂでの電位を測定することができる。固定接点２３と導体板２５との間の抵抗（Ｒ）は、電流が流れる導電性弾性体２６の長さに比例する。図３（３Ｂ）に、導体板２５の固定接点２３側からの距離（ｄ）と抵抗（Ｒ）との関係を例示的に示している。このように、抵抗（Ｒ）は、距離（ｄ）の増大に対して直線的に増大する。このため、導電性弾性体２６と導体板２５との接触位置における電位は、ＶＣＣから離れるほど大きくなる。したがって、位置Ｂでの電位は、位置Ａでの電位より大きい。ＶＣＣに近い側から遠い側に向けて導電性弾性体２６を指で押圧しながら走査すると（すなわち、図３（３Ａ）の左側から右側に向かってなぞると）、導電性弾性体２６と導体板２５との接触位置がその指で走査する速度に応じて変化するので、導体板２５を通じて測定される電位も同様の速度で変化する。
【００２７】
４．画像拡大処理の状況
図４は、図１に示す電子機器に設けられた２つの入力部を走査して、表示部に表示される画像を拡大する状況（４Ａ）若しくは縮小する状況（４Ｂ）をそれぞれ示す図である。
【００２８】
入力部２０は、ＶＣＣ側が右上角１３に近く、アース側（ＧＮＤ側）が左上角に近いように配置されている。入力部２１は、ＶＣＣ側が右上角１３に近く、アース（ＧＮＤ側）が右下角に近いように配置されている。以後、特筆しない限り、入力部２０，２１は、上記のように配置されているものとする。図４（４Ａ）において、２つの矢印Ａで示すように、操作者が指等で入力部２０および入力部２１をともに右上角１３から離れる方向にほぼ同じ走査速度で押圧しながら走査すると、本体１０内に備えられた制御部（後述する）は、入力部２０，２１からの各電位の変化と当該変化の速度を検出し、入力部２０，２１をともに右上角１３から離れる方向にほぼ同じ速度で走査していると判断することができる。その場合、制御部の画像表示処理により、画像３０（実線で示す星型画像）が画像３１（点線で示す星型画像）へと拡大される。また、その拡大される速度は、操作者による走査速度、特に入力部２０，２１の両走査速度の合算値に依存させるのが好ましい。その場合、閾値を設定しておき、入力部２０，２１の両走査速度の合算値がその閾値を超えた場合に、合算値に依存させて高速で画像を拡大する一方、その閾値以下の場合には一定速度で画像を拡大するようにすることもできる。なお、画像の拡大速度を、入力部２０，２１の各走査速度のいずれか速度の大きな値に依存させることもできる。
【００２９】
図４（４Ｂ）において、２つの矢印Ｂで示すように、操作者が指等で入力部２０および入力部２１をともに右上角１３に近づける方向にほぼ同じ走査速度で押圧しながら走査すると、制御部（後述する）は、前述と同様の処理により、入力部２０，２１をともに右上角１３に近づける方向にほぼ同じ速度で走査していると判断することができる。その場合、制御部の画像表示処理により、画像３２（実線で示す星型画像）が画像３３（点線で示す星型画像）へと縮小される。また、その縮小される速度は、操作者による走査速度、特に入力部２０，２１の両走査速度の合算値に依存させるのが好ましい。その場合、画像の拡大の際と同様に閾値を設定しておき、入力部２０，２１の両走査速度の合算値がその閾値を超えた場合に、合算値に依存させて高速で画像を縮小する一方、その閾値以下の場合には一定速度で画像を縮小するようにすることもできる。なお、画像の縮小速度を、入力部２０，２１の各走査速度のいずれか速度の大きな値に依存させることもできる。
【００３０】
５．画像移動処理の状況
図５は、図１に示す電子機器に設けられた入力部を走査して、表示部に表示される画像を移動する状況（５Ａ〜５Ｄ）をそれぞれ示す図である。
【００３１】
入力部２０，２１のいずれか一方のみを走査したときには、制御部は、画像を拡大若しくは縮小せずに、その走査方向に基づいて画像を移動する表示処理を行うことができる。また、入力部２０，２１の両方を走査した場合であっても、その走査速度の差異が大きい場合には、制御部は、走査速度の大きい方の入力部２０（または入力部２１）を優先し、その入力部２０（または入力部２１）の走査方向に基づいて画像を移動する表示処理を行うこともできる。
【００３２】
例えば、図５（５Ａ）に示すように、入力部２０の走査速度（矢印Ｂ）が入力部２１の走査速度（矢印Ｂ’）より大きく、かつそれらの走査速度の差異が所定閾値を超えている場合には、入力部２０の走査を優先することができる。当該所定閾値は、任意に設定できるが、一例を挙げるなら、両走査速度の比が２〜７倍の範囲、さらには３〜５倍の範囲、特に４倍に設定するのが好ましい。以後の「所定閾値」についても同様である。また、入力部２０の走査速度（矢印Ｂ）が入力部２１の走査速度（矢印Ｂ’）より大きく、かつ入力部２０の走査速度のみが所定速度を超えている場合に、入力部２０の走査を優先することもできる。当該所定速度は、任意に設定できるが、一例を挙げるなら、０．０５〜０．３ｍｍ／ｓｅｃの範囲、特に０．１〜０．２ｍｍ／ｓｅｃの範囲に設定するのが好ましい。以後の「所定速度」についても同様である。そのような結果、画像３４（実線で示す星型画像）は、拡大および縮小されずに、画像３５（点線で示す星型画像）へと移動する。また、図５（５Ｂ）に示すように、入力部２１の走査速度（矢印Ｂ）が入力部２０の走査速度（矢印Ｂ’）より大きく、それらの走査速度の差異が所定閾値を超えている場合には、入力部２１の走査を優先することができる。また、先の例と同様に、入力部２１の走査速度のみが所定速度を超えている場合に、入力部２１の走査を優先することもできる。そのような結果、画像３６（実線で示す星型画像）は、画像３７（点線で示す星型画像）へと移動する。また、図５（５Ｃ）および（５Ｄ）に例示するように、入力部２０，２１の走査方向がともに右上角１３に近づく方向でない場合であっても、走査速度の大小関係で優先する入力部２０（または入力部２１）を決定することができる。その結果、矢印Ａ’の方向に走査するよりも矢印Ｂの方向に走査される方が優先され、図５（５Ｃ）の場合には、図５（５Ａ）の場合と同様に画像３４が画像３５へと移動し、図５（５Ｄ）の場合には、図５（５Ｂ）の場合と同様に画像３６が画像３７へと移動する。
【００３３】
６．制御部の概略構成
図６は、図１に示す電子機器の本体に備えられる制御部の例示的なハードウェアの構成図である。
【００３４】
制御部４０は、表示部１１に表示される画像の表示を制御する機能を有する構成部であり、中央処理装置（Ｃｅｎｔｒａｌ  Ｐｒｏｃｅｓｓｉｎｇ  Ｕｎｉｔ：  ＣＰＵ）４１と、読み出し専用のメモリ（Ｒｅａｄ  Ｏｎｌｙ  Ｍｅｍｏｒｙ：  ＲＯＭ）４２と、読み書き可能なメモリ（Ｒａｎｄｏｍ  Ａｃｃｅｓｓ  Ｍｅｍｏｒｙ：  ＲＡＭ）４３と、ビデオＲＡＭ（Ｖｉｄｅｏ  Ｒａｎｄｏｍ  Ａｃｃｅｓｓ  Ｍｅｍｏｒｙ：  ＶＲＡＭ）４４と、電気若しくは電圧の操作でデータの消去若しくは書き換えを可能としたメモリ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ：  ＥＥＰＲＯＭ）４５と、インターフェイス（Ｉｎｔｅｒｆａｃｅ：  Ｉ／Ｆ）４６とを備える。
【００３５】
ＲＯＭ４２は、ＣＰＵ４１の制御用プログラム等の読み出し専用の情報を格納したメモリである。ＲＡＭ４３は、オペレーションシステム（Ｏｐｅｒａｔｉｏｎ  Ｓｙｓｔｅｍ：  ＯＳ）、各種アプリケーションソフト、この実施の形態における各種画像処理用のコンピュータプログラム等を格納した、読み書き可能なメモリである。ＶＲＡＭ４４は、多くの画像を表示部１１に表示する際に、画像を一時的にストックしておくメモリである。ＥＥＰＲＯＭ４５も、一時的にデータを書き込んでおくメモリである。インターフェイス４６は、制御部４０の外部からの信号を受信あるいはその外部に信号を送信する部分である。ここで、「制御部４０の外部」には、「電子機器１の外部」も含まれる。外部のネットワーク（例えば、インターネット）回線との間でデータの送受信を行う機能を備えた電子機器１の場合であっても、上記インターフェイス４６を利用することができる。
【００３６】
ＣＰＵ４１は、入力部２０，２１からの抵抗の変化を検出する検出手段と、その抵抗の変化から、それぞれの入力部２０，２１がともに右上角１３に近づく方向に走査されているか、ともに右上角１３から離れる方向に走査されているかを少なくとも判別する走査方向判別手段と、近づく方向に走査されている場合に画像の縮小処理を行い、離れる方向に走査されている場合に画像の拡大処理を行う表示処理手段とを兼ねる。ＣＰＵ４１は、さらに、入力部２０，２１の走査速度（好ましくは入力部２０，２１の両走査速度の合算値）に応じて画像の拡大若しくは縮小の各速度を決定する速度決定手段として機能することもできる。検出手段は、この実施の形態では、抵抗の変化に起因する電位の変化を検出している。このため、「抵抗の変化を検出する」の意味は、抵抗の変化を直接的に検出する場合のみならず、電位の変化等により間接的に抵抗の変化を検出する場合も含むように広義に解釈されるものとする。また、この実施の形態では、表示処理手段は右上角１３に近づく方向に走査されている場合に画像の縮小を行い、右上角１３から離れる方向に走査されている場合に画像の拡大を行っているが、近づく方向に走査されている場合に拡大処理を行い、離れる方向に走査されている場合に縮小処理を行うように設定することもできる。
【００３７】
また、ＣＰＵ４１は、両側の入力部２０，２１から抵抗の変化を検出したかどうかを判別する両抵抗変化判別手段としてその機能を発揮することもできる。いずれか一方の入力部２０（または２１）のみからの抵抗の変化を検出した場合には、走査方向判別手段としてのＣＰＵ４１は、その抵抗の変化を検出した入力部２０（または２１）の走査方向を決定し、表示処理手段としてのＣＰＵ４１は、画像の拡大および縮小を行わずに、その決定した走査方向に画像を移動する処理を行うこともできる。この際にも、ＣＰＵ４１は、さらに、入力部２０（または２１）の走査速度に応じて画像の移動速度を決定する速度決定手段として機能することができる。
【００３８】
また、ＣＰＵ４１に、それぞれの入力部２０，２１の抵抗が変化する各速度の差異が所定閾値を超えているか否かを判別する速度差異判別手段と、各速度の差異がその所定閾値を超えている場合に、速度の大きい入力部２０（または２１）の走査を優先する第一優先走査決定手段としての機能を備えることもできる。各速度の差異がその所定閾値を超えている場合には、表示処理手段としてのＣＰＵ４１は、画像の拡大および縮小を行わずに、第一優先走査決定手段が優先する入力部２０（または２１）の走査方向に基づいて、画像の移動処理を行うことができる。ここで、各速度の差異および所定閾値は、各入力部２０，２１の電位が変化する速度（あるいは抵抗が変化する速度）の差であっても比であっても良い。
【００３９】
また、ＣＰＵ４１に、それぞれの入力部２０，２１の抵抗が変化する各速度の一方のみが所定速度を超えているか否かを判別する絶対速度判別手段と、各速度のいずれか一方がその所定速度を超えている場合に、その所定速度を超えている方の入力部２０（または２１）の走査を優先する第二優先走査決定手段としての機能を備えることもできる。各速度のいずれか一方のみがその所定速度を超えている場合には、表示処理手段としてのＣＰＵ４１は、画像の拡大および縮小を行わずに、第二優先走査決定手段が優先する入力部２０（または２１）の走査方向に基づいて、画像の移動処理を行うことができる。
【００４０】
さらに、前述の第一優先走査決定手段または第二優先走査決定手段としてのＣＰＵ４１は、それぞれの入力部２０，２１の走査方向がそれぞれ右上角１３に近づく方向と離れる方向である場合にのみ、速度の大きい入力部２０（または２１）の走査を優先することもできる。したがって、入力部２０の走査方向が右上角１３に近づく方向であるが、入力部２１の走査方向が右上角１３から離れる方向である場合には、第一優先走査決定手段または第二優先走査決定手段としてのＣＰＵ４１は、入力部２０，２１の内のいずれか一方を優先する処理を行わない。この結果、画像の移動は行われない。
【００４１】
また、ＣＰＵ４１に、検出手段、走査方向判別手段、表示処理手段、両抵抗変化判別手段、速度差異判別手段、第一優先走査決定手段、絶対速度判別手段、第二優先走査決定手段の少なくともいずれか１つの機能を持たせるためのコンピュータプログラムを、ＲＡＭ４３若しくはＥＥＰＲＯＭ４５に格納し、当該コンピュータプログラムを読み出し、実行することにより、上記各種手段の内の少なくとも一つの機能を発揮して画像処理を行わせることができる。コンピュータプログラムの実行により発揮する機能は、上記各種手段の内の少なくとも１つで良く、全ての手段の機能である必要はない。例えば、検出手段としての機能は、コンピュータプログラムの実行によらず、ハードウェアのみにより発揮するようにしても良い。コンピュータプログラムは、外部のネットワークを経由して電子機器１にインストールし、あるいは情報記録媒体を電子機器１内のスロット（図示せず）に装填し、その情報記録媒体に格納されたコンピュータプログラムを、制御部４０内のＲＡＭ４３若しくはＥＥＰＲＯＭ４５に格納しても良い。
【００４２】
７．例示的な画像処理の流れ
図７〜１０は、図１に示す電子機器が行う画像の拡大若しくは縮小または移動の処理の流れを示すフローチャートの代表例である。
【００４３】
図７に示すフローチャートは、入力部２０および／または入力部２１が走査された際に、ともに右上角１３に近づく方向に走査された場合に画像の縮小を行い、ともに右上角１３から離れる方向に走査された場合に画像の拡大を行い、それ以外の場合には何ら新たな処理を行わない、最もシンプルな処理の流れを示す。
【００４４】
入力部２０および／または入力部２１が走査された場合、ＣＰＵ４１は、検出手段として、入力部２０，２１からの抵抗の変化（電位の変化も含まれる）を検出する（ステップＳＴ１）。次に、ＣＰＵ４１は、走査方向判別手段として、その抵抗の変化から、それぞれの入力部２０，２１がともに右上角１３に近づく方向に走査されているか否かを判別する（ステップＳＴ２）。右上角１３に近づく方向に走査されている場合には、ＣＰＵ４１は、表示処理手段として、画像を所定の割合で縮小する処理を行う（ステップＳＴ３）。所定の割合は、走査速度（特に、入力部２０，２１の両走査速度の合算値が好ましい）に基づくのが好ましい。以後の画像の拡大若しくは縮小の処理についても同様である。走査速度が大きい場合には所定の割合も大きくなり、画像の縮小速度が大きくなる。逆に、走査速度が小さい場合には、画像の縮小速度が小さくなる。画像の拡大および移動も同様である。ただし、所定の割合を、走査速度と何ら関連なく決めても良い。
【００４５】
一方、ステップＳＴ２の判別の結果、右上角１３に近づく方向に走査されていない場合には、ＣＰＵ４１は、引き続き、走査方向判別手段として、その抵抗の変化から、それぞれの入力部２０，２１がともに右上角１３から離れる方向に走査されているか否かを判別する（ステップＳＴ４）。右上角１３から離れる方向に走査されている場合には、ＣＰＵ４１は、表示処理手段として、画像を所定の割合で拡大する処理を行う（ステップＳＴ５）。一方、右上角１３から離れる方向に走査されていない場合には、ＣＰＵ４１は、何の処理も行わない（ステップＳＴ６）。
【００４６】
図８に示すフローチャートは、入力部が走査された際に、両方の入力部が走査された場合には、その走査方向に応じて画像の拡大若しくは縮小の処理を行うが、いずれか一方の入力部のみが走査された場合には、その一方の入力部の走査方向に画像の移動を行う処理の流れを示す。
【００４７】
入力部２０および／または入力部２１が走査された場合、ＣＰＵ４１は、検出手段として、入力部２０，２１からの抵抗の変化（電位の変化も含まれる）を検出する（ステップＳＴ１１）。次に、ＣＰＵ４１は、両抵抗変化判別手段として、両方の入力部２０，２１が走査されているかどうかを判別する（ステップＳＴ１２）。両方の入力部２０，２１が走査されている場合には、ＣＰＵ４１は、走査方向判別手段として、その抵抗の変化から、それぞれの入力部２０，２１がともに右上角１３に近づく方向に走査されているかを判別する（ステップＳＴ１３）。右上角１３に近づく方向に走査されている場合には、ＣＰＵ４１は、表示処理手段として、画像を所定の割合で縮小する処理を行う（ステップＳＴ１４）。一方、右上角１３に近づく方向に走査されていない場合には、ＣＰＵ４１は、引き続き、走査方向判別手段として、その抵抗の変化から、それぞれの入力部２０，２１がともに右上角１３から離れる方向に走査されているかを判別する（ステップＳＴ１５）。右上角１３から離れる方向に走査されている場合には、ＣＰＵ４１は、表示処理手段として、画像を所定の割合で拡大する処理を行う（ステップＳＴ１６）。一方、右上角１３から離れる方向に走査されていない場合には、ＣＰＵ４１は、何の処理も行わない（ステップＳＴ１７）。ステップＳＴ１２に戻って、入力部２０，２１の内のいずれか一方のみしか走査されていない場合には、ＣＰＵ４１は、走査方向判別手段として、その抵抗の変化を検出した入力部２０（または２１）の走査方向を決定する（ステップＳＴ１８）。続いて、ＣＰＵ４１は、表示処理手段として、画像の拡大および縮小を行わずに、その一方の走査方向に画像を移動する（ステップＳＴ１９）。画像の移動速度は、入力部２０（または２１）の走査速度に依存させるのが好ましい。以後の画像の移動処理についても同様である。
【００４８】
図９に示すフローチャートは、入力部が走査された際に、両入力部の抵抗変化の速度の差異が所定閾値以下の場合にのみ、その走査方向に応じて画像の拡大若しくは縮小の処理を行うが、当該差異が所定閾値を超えている場合には、速度の大きい方を優先してその優先された入力部の走査方向に画像の移動を行う処理の流れを示す。
【００４９】
入力部２０および／または入力部２１が走査された場合、ＣＰＵ４１は、検出手段として、入力部２０，２１からの抵抗の変化（電位の変化も含まれる）を検出する（ステップＳＴ２１）。次に、ＣＰＵ４１は、両抵抗変化判別手段として、両方の入力部２０，２１が走査されているかどうかを判別する（ステップＳＴ２２）。両方の入力部２０，２１が走査されている場合には、ＣＰＵ４１は、速度差異判別手段として、それぞれの入力部２０，２１の抵抗が変化する各速度の差異が所定閾値以下であるか否かを判別する（ステップＳＴ２３）。その結果、所定閾値以下である場合には、ＣＰＵ４１は、走査方向判別手段として、その抵抗の変化から、それぞれの入力部２０，２１がともに右上角１３から離れる方向に走査されているか否かを判別する（ステップＳＴ２４）。右上角１３から離れる方向に走査されている場合には、ＣＰＵ４１は、表示処理手段として、画像を所定の割合で拡大する処理を行う（ステップＳＴ２５）。一方、右上角１３から離れる方向に走査されていない場合には、ＣＰＵ４１は、引き続き、走査方向判別手段として、その抵抗の変化から、それぞれの入力部２０，２１がともに右上角１３に近づく方向に走査されているか否かを判別する（ステップＳＴ２６）。右上角１３に近づく方向に走査されている場合には、ＣＰＵ４１は、表示処理手段として、画像を所定の割合で縮小する処理を行う（ステップＳＴ２７）。一方、右上角１３に近づく方向に走査されていない場合には、ＣＰＵ４１は、何の処理も行わない（ステップＳＴ２８）。
【００５０】
ステップＳＴ２３に戻って、所定閾値を超えている場合には、ＣＰＵ４１は、第一優先走査決定手段として、速度の大きい入力部２０（または２１）の走査を優先する処理を行う（ステップＳＴ２９）。ステップＳＴ２２に戻って、入力部２０，２１の内のいずれか一方のみしか走査されていない場合には、ＣＰＵ４１は、走査方向判別手段として、その抵抗の変化を検出した入力部２０（または２１）の走査方向を決定する（ステップＳＴ３０）。先のステップＳＴ２９およびステップＳＴ３０に続いて、ＣＰＵ４１は、表示処理手段として、画像の拡大および縮小を行わずに、その優先されあるいは決定された入力部２０（または２１）の走査方向に基づいて画像の移動処理を行う（ステップＳＴ３１）。
【００５１】
図１０に示すフローチャートは、入力部が走査された際に、両入力部の抵抗変化の速度の差異が所定閾値以下の場合にのみ、その走査方向に応じて画像の拡大若しくは縮小の処理を行うが、所定閾値を超えている場合には、両入力部の走査方向がともに右上角に近づく方向である場合と離れる方向であるときのみ、速度の大きい入力部の走査を優先してその優先した方の走査方向に画像の移動を行う処理の流れを示す。
【００５２】
入力部２０および／または入力部２１が走査された場合、ＣＰＵ４１は、検出手段として、入力部２０，２１からの抵抗の変化（電位の変化も含まれる）を検出する（ステップＳＴ４１）。次に、ＣＰＵ４１は、両抵抗変化判別手段として、両方の入力部２０，２１が走査されているかどうかを判別する（ステップＳＴ４２）。両方の入力部２０，２１が走査されている場合には、ＣＰＵ４１は、走査方向判別手段として、その抵抗の変化から、それぞれの入力部２０，２１がともに右上角１３に近づく方向に走査されているか否かを判別する（ステップＳＴ４３）。その結果、それぞれの入力部２０，２１がともに右上角１３に近づく方向に走査されている場合には、ＣＰＵ４１は、速度差異判別手段として、それぞれの入力部２０，２１の抵抗が変化する各速度の差異が所定閾値以下であるか否かを判別する（ステップＳＴ４４）。その結果、所定閾値以下である場合には、ＣＰＵ４１は、表示処理手段として、画像を所定の割合で縮小する処理を行う（ステップＳＴ４５）。一方、ステップＳＴ４４の判別の結果、所定閾値を超えている場合には、ＣＰＵ４１は、第一優先走査決定手段として、速度の大きい入力部２０（または２１）の走査を優先する処理を行う（ステップＳＴ４６）。ステップＳＴ４３に戻って、入力部２０，２１がともに右上角１３に近づく方向に走査されていない場合には、ＣＰＵ４１は、引き続き、走査方向判別手段として、それぞれの入力部２０，２１がともに右上角１３から離れる方向に走査されているか否かを判別する（ステップＳＴ４７）。その結果、入力部２０，２１がともに右上角１３から離れる方向に走査されている場合には、ＣＰＵ４１は、速度差異判別手段として、それぞれの入力部２０，２１の抵抗が変化する各速度の差異が所定閾値以下であるか否かを判別する（ステップＳＴ４８）。その結果、所定閾値以下である場合には、ＣＰＵ４１は、表示処理手段として、画像を所定の割合で拡大する処理を行う（ステップＳＴ４９）。一方、ステップＳＴ４８の判別の結果、所定閾値を超えている場合には、ステップＳＴ４６に進む。
【００５３】
ステップＳＴ４７に戻って、右上角１３から離れる方向に走査されていない場合には、ＣＰＵ４１は何の処理も行わない（ステップＳＴ５０）。ステップＳＴ４２に戻って、入力部２０，２１の内のいずれか一方のみしか走査されていない場合には、ＣＰＵ４１は、走査方向判別手段として、その抵抗の変化を検出した入力部２０（または２１）の走査方向を決定する（ステップＳＴ５１）。先のステップＳＴ４６およびステップＳＴ５１に続いて、ＣＰＵ４１は、表示処理手段として、画像の拡大および縮小を行わずに、その優先されあるいは決定された入力部２０（または２１）の走査方向に基づいて画像の移動処理を行う（ステップＳＴ５２）。
【００５４】
８．入力部の配置の変形例
図１１は、図１に示す電子機器と異なり、入力部の配置場所を変えた電子機器の変形例を示す図である。
【００５５】
入力部２０，２１は、図１１（１１Ａ）に示すように、正面１０ａの表示部１１の上方および右側の各スペースに配置されても良い。また、図１１（１１Ｂ）に示すように、入力部２０を上側面１０ｂに、入力部２１を正面１０ａの表示部１１の右側スペースに配置しても良い。さらに、図示しないが、入力部２０を正面１０ａの表示部１１の上方スペースに配置し、入力部２１を右側面１０ｃに配置しても良い。
【００５６】
９．その他の変形
以上、本発明の好適な実施の形態について説明してきたが、本発明は、上述の実施の形態に限定されず、種々変更した形態にて実施可能である。
【００５７】
入力部２０，２１は、上述の実施の形態では本体１０の右上角１３を挟むように配置されているが、右下角であっても良く、さらに左利きの操作者のために、左上角あるいは左下角を挟むように配置しても良い。また、本体１０の形状は、直方体に限定されない。したがって、角の無い形状を有する電子機器の場合には、角以外の任意の場所を特定箇所とし、その特定箇所を挟むように入力部を備えることもできる。さらに、入力部は、２つに限定されず３以上の個数を備えても良い。例えば、立方体に近い電子機器の角を挟むように３個の入力部を備えても良い。
【００５８】
入力部２０，２１は、右上角１３に近い側に、ＶＣＣを印加する固定接点２３が向くように配置されているが、右上角１３に近い側に、アースしている固定接点２４が向くように配置されていても良い。さらに、入力部２０と入力部２１の固定接点２３側（若しくは固定接点２４側）を互いに対向しないように配置しても良い。上述の実施の形態では、移動、拡大あるいは縮小の対象は画像であるが、画像に限定されず、テキストデータ等も含む広義の表示情報であっても良い。
【００５９】
図９のステップＳＴ２３、図１０のステップＳＴ４４およびステップＳＴ４８では、速度差異判別手段としてのＣＰＵ４１が抵抗変化の速度の差異が所定閾値以下であるか否かを判別しているが、これに代えて、絶対速度判別手段としてのＣＰＵ４１が、いずれか一方の入力部の抵抗変化の速度のみが所定速度を超えているか否かを判別するステップを採用しても良い。その場合、いずれか一方のみが所定速度を超えている場合に、第二優先走査決定手段としてのＣＰＵ４１が図９のステップＳＴ２９あるいは図１０のステップＳＴ４６の優先処理を行い、両方が所定速度を超えている場合あるいは所定速度以下の場合には、図９のステップＳＴ２４あるいは図１０のステップＳＴ４５若しくはステップ４９に進むようにしても良い。
【００６０】
１０．実施の形態の作用・効果
電子機器１の右上角１３を挟むように両側に可変抵抗デバイスである入力部２０，２１を備え、制御部４０が入力部２０，２１からの抵抗の変化を検出し、その抵抗の変化から、入力部２０，２１がともに右上角１３に近づく方向に走査されているか、離れる方向に走査されているかを判別し、前者の場合には画像縮小を、後者の場合には画像拡大を行うようにしているので、表示部１１に触れることなく、簡単な操作にて画像の拡大および縮小が可能である。
【００６１】
特に、いずれか一方の入力部２０（または２１）のみから抵抗の変化を検出した場合には、制御部４０は、画像の拡大若しくは縮小を行わずに、その走査された入力部２０（または２１）の走査方向に画像を移動する処理を行うので、入力部２０，２１を備えることにより、画像の拡大、縮小のみならず、画像の移動も自在となる。
【００６２】
また、制御部４０は、入力部２０，２１の抵抗が変化する各速度の差異が所定閾値を超えているか否かを判別し、所定閾値を超えていれば、速度の大きい入力部の走査を優先して、その走査方向に基づいて画像の移動処理を行うようにしている。さらに、制御部４０は、入力部２０，２１の抵抗が変化する各速度のいずれか一方のみが所定速度を超えているか否かを判別し、一方のみが所定速度を超えていれば、その一方の入力部の走査を優先して、その走査方向に基づいて画像の移動処理を行うことも可能である。このため、両方の入力部２０，２１を走査している場合でも、画像の移動を行うことができる。例えば、２本の指を入力部２０，２１に置いたまま、拡大・縮小と移動を繰り返し行っている場合、移動の際に２本の指が動いても、走査速度の大きい方が優先されて画像の移動が可能である。
【００６３】
さらに、制御部４０は、入力部２０，２１の走査方向がそれぞれ右上角１３に近づく方向と離れる方向である場合にのみ、速度の大きい方の入力部の走査を優先するようにしているので、それ以外の不自然な走査では画像の移動を行わないようにすることができる。
【００６４】
また、電子機器１の本体１０を直方体形状とし、入力部２０，２１を、右上角１３を挟み、その右上角１３からそれぞれ別の角部に向かう方向に細長くのびるように別側面に備えているので、指を使った走査が行いやすい。
【産業上の利用可能性】
【００６５】
本発明は、電子機器、特に小型の電子機器に利用することができる。
【符号の説明】
【００６６】
１    電子機器
１０  本体
１０ｂ  上側面（側面の一例）
１０ｃ  右側面（側面の一例）
１１  表示部
１３  右上角（特定箇所、特定の角部の一例）
２０，２１  入力部
４１  ＣＰＵ（検出手段、走査方向判別手段、表示処理手段、両抵抗変化判別手段、速度差異判別手段、第一優先走査決定手段、絶対速度判別手段、第二優先走査決定手段）
【図１】
2011048717.tif 000003
【図２】
2011048717.tif 000004
【図３】
2011048717.tif 000005
【図４】
2011048717.tif 000006
【図５】
2011048717.tif 000007
【図６】
2011048717.tif 000008
【図７】
2011048717.tif 000009
【図８】
2011048717.tif 000010
【図９】
2011048717.tif 000011
【図１０】
2011048717.tif 000012
【図１１】
2011048717.tif 000013